(57)【要約】【課題】安定で強固な軒先下地を施工でき、けらば等の端部を含む軒先における意匠性及び汎用性を向上し、更に施工作業を迅速に容易く行なえ、しかも軒天井等の化粧まで仕上げることが可能な建築物の軒先下地構造、及びその構築方法を提供する。【解決手段】本発明は、外装構造の水下端の更に水下側に延設され、それぞれが棒状材又はパイプ材よりなる上部支持部材１Ａと下部支持部材１Ｂとこれらの両支持部材１Ａ，１Ｂを連結する連絡支持部材１Ｃとからなり、上部支持部材１Ａは、外装構造を支持する部材を水下側へ長く延出したものであって、その上面に少なくとも軒先外装材４を沿設することができ、上部支持部材１Ａと下部支持部材１Ｂと連絡支持部材１Ｃとが一体的に連結されることで軒先下地を構築すると共に、上部支持部材１Ａ、下部支持部材１Ｂ、連絡支持部材１Ｃの少なくとも一つが躯体６ａ〜６ｈに取り付けられていることを特徴とする。【選択図】図１
2018145794.tif 000002
【特許請求の範囲】
【請求項１】
外装構造の水下端の更に水下側に延設され、それぞれが棒状材又はパイプ材よりなる上部支持部材と下部支持部材とこれらの両支持部材を連結する連絡支持部材とからなる建築物の軒先下地構造であって、
前記上部支持部材は、外装構造を支持する部材を水下側へ長く延出したものであって、その上面に少なくとも軒先外装材を沿設することができ、
前記上部支持部材と前記下部支持部材と前記連絡支持部材とが一体的に連結されることで軒先下地を構築すると共に、前記上部支持部材、前記下部支持部材、前記連絡支持部材の少なくとも一つが躯体に取り付けられていることを特徴とする建築物の軒先下地構造。
【請求項２】
下部支持部材は、躯体に連結する補助部材を設けたことを特徴とする請求項１に記載の建築物の軒先下地構造。
【発明の詳細な説明】
【技術分野】
【０００１】
本発明は、安定で強固な軒先下地を施工でき、けらば等の端部を含む軒先における意匠性及び汎用性を向上し、更に施工作業を迅速に容易く行なえ、しかも軒天井等の化粧まで仕上げることが可能な建築物の軒先下地構造に関する。
【背景技術】
【０００２】
建築物の軒先は、躯体や下地材等を覆うように形成され、その施工方法及び構造としては、特許文献１に記載されるように、屋根の下地材等を覆う部材（唐草と称される）を用いるものや、さらに特許文献２に記載の軒先唐草のように、幕板、水切り等の別部材を組み付けるもの等が存在する。
前記特許文献１に記載の唐草は、横葺屋根板の成形部等と係合する係合部と建築物の軒先に取り付けられる取付部と建築物の軒先を覆う垂下部を主構成としている。さらに詳細には、固定部は、躯体あるいは下地材にビス止めするフラット状やＬ字状、あるいは下地材に嵌める略コ字状等で構成され、垂下部は躯体の形状に沿う階段状に形成されている。
一方、前記特許文献２に記載の唐草では、水切りや幕板をビス等の固着具で固定したものが提案されている。さらに、化粧を目的として、壁から支持材を持ち出し、軒天井等を設けることも行われている。
【先行技術文献】
【特許文献】
【０００３】
【特許文献１】特開平５−１５６７６６号公報
【特許文献２】特開平７−３１７２５５号公報
【発明の概要】
【発明が解決しようとする課題】
【０００４】
しかしながら、前記特許文献１に記載の唐草は、躯体の形状に沿わせるため、外観意匠が「階段状」にならざるを得ず、意匠性に乏しいものであった。
一方、前記特許文献２に記載の唐草は、部品点数の増加が避けられず、施工に手間がかかるという問題があった。さらに壁から支持材等を持ち出すため、屋根工事とは別に行なわなければならないという問題もあった。
そして、かかる特許文献１、２に共通していえることとして、軒先における意匠性および汎用性の向上について未だ不十分であった。
【０００５】
そこで、本発明は、安定で強固な軒先下地を施工でき、けらば等の端部を含む軒先における意匠性及び汎用性を向上し、更に施工作業を迅速に容易く行なえ、しかも軒天井等の化粧まで仕上げることが可能な建築物の軒先下地構造、及びその構築方法を提供することを目的とする。
【課題を解決するための手段】
【０００６】
本発明は、上記に鑑み提案されたものであり、外装構造の水下端の更に水下側に延設され、それぞれが棒状材又はパイプ材よりなる上部支持部材と下部支持部材とこれらの両支持部材を連結する連絡支持部材とからなる建築物の軒先下地構造であって、前記上部支持部材は、外装構造を支持する部材を水下側へ長く延出したものであって、その上面に少なくとも軒先外装材を沿設することができ、前記上部支持部材と前記下部支持部材と前記連絡支持部材とが一体的に連結されることで軒先下地を構築すると共に、前記上部支持部材、前記下部支持部材、前記連絡支持部材の少なくとも一つが躯体に取り付けられていることを特徴とする建築物の軒先下地構造に関するものである。
なお、軒先外装材とは、外装構造を構成する最も水下側に位置する外装材の更に水下側に配設される外装材を指すものであって、「最も水下側に位置する外装材」とは、流れ方向に複数の外装材を配設する横葺きや瓦等をイメージし易いが、流れ方向に連続する縦葺き外装材でもよく、その場合には該縦葺き外装材の水下端よりも更に水下側に軒先外装材を配設することを意味している。
【０００７】
また、本発明は、前記軒先下地構造において、下部支持部材は、躯体に連結する補助部材を設けたことを特徴とする建築物の軒先下地構造をも提案する。
【発明の効果】
【０００８】
本発明の建築物の軒先下地構造は、種々の外装構造の水下側に延設され、その上面に軒先外装材を沿設する上部支持部材とその裏面側に配する下部支持部材とこれらを連結する連絡支持部材との３つの棒状材又はパイプ材よりなる支持部材をボルト等の締着部材などにて一体的に連結したものであり、３つ支持部材のうちの少なくとも一つが躯体に取り付けられているため、外装構造の水下側に容易に且つ強固に一体化させた構造である。そして、この軒先下地構造の上面に固定される軒先外装材などにて形成される軒先外装構造は、通常の一般屋根に比べて先端がシャープな先鋭な印象を受ける屋根を施工し易く、該軒先により所定領域の雨避けや日光避けの庇（ひさし）として有効利用する空間を形成することも可能である。さらに、例えば上方から雨水や風が吹き付けられる等の正荷重が作用しても、例えば下方から吹き上げ風が吹き付けられる等の負荷重が作用することがあっても、堅牢で強固な軒先構造を維持できる下地構造となる。
このように本発明では、取付施工が容易であって、意匠性に富んだ、デザイン性に優れた軒先構造とするための下地構造として有用である。
【０００９】
また、下部支持部材が、躯体に連結する補助部材を設けている場合には、容易に躯体に取り付けることができ、より強度で安定な軒先下地構造を構築することができる。
【図面の簡単な説明】
【００１０】
【図１】（ａ）本発明の第１実施例の建築物の軒先下地構造を示す側断面図、（ｂ）その正断面図、（ｃ）用いた上部支持部材と下部支持部材と軒先支持部材と躯体の一部のみを示す側断面図である。
【図２】（ａ）第２実施例の軒先下地構造を示す側断面図、（ｂ）用いた軒先外装材を示す拡大側面図、（ｃ）用いた軒天部材を示す拡大側面図、（ｄ）用いた取付補助材を示す拡大側面図である。
【図３】（ａ）第２実施例の軒先下地構造を用いた軒先構造の他の例を示す側断面図、（ｂ）用いた軒天部材を分解して示す拡大側断面図である。
【図４】（ａ）第３実施例の軒先下地構造を示す側断面図、（ｂ）参考例の軒先下地構造を示す側断面図である。
【図５】第４実施例の軒先下地構造を示す側断面図である。
【図６】第５実施例の軒先下地構造を示す側断面図である。
【図７】第６実施例の軒先下地構造を示す側断面図である。
【発明を実施するための形態】
【００１１】
本発明の建築物の軒先下地構造は、種々の外装構造の水下端の更に水下側に延設され、それぞれが棒状材又はパイプ材よりなる上部支持部材と下部支持部材とこれらの両支持部材を連結する連絡支持部材とからなる建築物の軒先下地構造であって、前記上部支持部材は、その上面に少なくとも軒先外装材を沿設することができ、前記上部支持部材と前記下部支持部材と前記連絡支持部材とが一体的に連結されることで軒先下地を構築すると共に、前記上部支持部材、前記下部支持部材、前記連絡支持部材の少なくとも一つが躯体に取り付けられていることを特徴とする。
【００１２】
本発明の軒先下地構造は、前述のように種々の外装構造の水下側に延設される、３つの支持部材である（Ａ）上部支持部材、（Ｂ）下部支持部材、（Ｃ）連絡支持部材とをボルト等の締着部材にて一体的に連結してなるものであって、これらの３つの支持部材の少なくとも一つが躯体に取り付けられている。
【００１３】
本発明における外装構造は、縦葺き、横葺き、瓦等いかなるものであってもよく、それを取り付ける下地や該下地へ取り付けるための部材や構造についても何等限定するものではない。ここで、前述のように上部支持部材の上面に沿設する軒先外装材とは、外装構造を構成する最も水下側に位置する外装材の更に水下側に配設される外装材を指すが、「最も水下側に位置する外装材」とは、流れ方向に複数の外装材を配設する横葺きや瓦等をイメージし易いが、流れ方向に連続する縦葺き外装材でもよく、その場合には該縦葺き外装材の水下端よりも更に水下側に軒先外装材を配設するものである。
また、外装材を例えば前記下地や該下地へ取り付けるための構造等としては、木材製の躯体、鉄骨製の躯体、コンクリート製の躯体などの各種材料で構築される躯体、躯体上に配された垂木等の支持部材又は野地材等の下地材等でもよい。
【００１４】
前記外装材のうち、外装構造を構成する最も水下側（軒側）に位置する外装材の更に水下側に配設する軒先外装材は、それらの外装材の外観形状やそれらによって構築される外装構造の外観形状に応じた形状でもよいし、それらの形状と全く異なる形状でもよく、形状選択の自由度は極めて大きい。
例えば外装材が水上側から水下側に向かって一定勾配（角度）で傾斜している構造は一般的であって、広く知られているから、最も水下側に位置する外装材の更に水下側に配する軒先外装材にて形成される軒先部分は、一般屋根に比べて先端がシャープな先鋭な印象を受ける屋根となりやすい。更に、このような軒先部分により、所定領域の雨避けや日光避けの庇（ひさし）として有効利用する空間を形成することも可能である。
また、一般の外装材の傾斜勾配と敢えて相違するように例えば異なる傾斜面の面板部、或いは湾曲した面板部を有するように形成してもよく、この場合の軒先外装材は、軒端が跳ね上がったような印象を与える屋根とすることもできるし、逆に軒端が深く垂れ下がったような印象を与える屋根とすることもでき、意匠性を高くすることができる。
【００１５】
この軒先外装材は、詳細を後述する（Ａ）上部支持部材の上面に沿設されるものであって、どのような形状構成でもよいことを既に説明したが、後述する取付補助材と一体化するための係合部を有するものである。最もこの係合部としては、取付補助材に取り付けられる構成であれば、特にその構成を限定するものではない。
【００１６】
本発明の軒先下地構造を構成する３つの支持部材である（Ａ）上部支持部材、（Ｂ）下部支持部材、（Ｃ）連絡支持部材を以下に説明するが、これらの支持部材は、それぞれがボルトとの締着部材によって連結されている。
また、各支持部材は、断面形状がハット状、角型、管状、Ｚ状、Ｌ状、コ字状等の慣用的に用いられている棒状材又はパイプ材であり、全てを同一形状で形成する必要はない。例えばコ字状（或いはハット状）棒状材と角型パイプ材とを、コ字状棒状材の内部に角型パイプ材が内包されるように組み付けることにより、締着時の作業性が容易となり、締着後に高い取付強度を得ることができる。
【００１７】
（Ａ）上部支持部材
本発明における上部支持部材は、外装構造から水下側へ延設され、その上面に前記軒先外装材を沿設するものであり、外装構造を支持する部材を水下側へ長く延出したものでもよい（即ち外装構造の支持部材を兼ねる）し、別途新たに設けたものであってもよい（即ち外装構造の支持部材に新たな支持部材を接続する）。後者の態様では、後述する図示実施例のように、断面形状がハット状の棒状材である外装構造の支持部材に角型パイプ材であるこの上部支持部材を内包状に組み付けて締着して接続してもよい。
【００１８】
（Ｂ）下部支持部材
本発明における下部支持部材は、前記上部支持部材の裏面側に配するものであって、後述する図示実施例のように、軒天部材（軒先天井材）を支持する部材を兼ねる部材でもよい。この下部支持部材は、略水平状に配されるものでも、傾斜状に配されるものであってもよい。
また、前述のようにこの下部支持部材に限らず、何れかの支持部材の少なくとも一つが躯体に取り付けられているが、この下部支持部材に躯体に連絡する補助部材を設けて取り付けるようにしてもよい。
【００１９】
この補助部材としては、一端が下部支持部材と直接或いは別部材を介して連結され、他端が躯体（壁部）に取り付けられるものとなる。
この補助部材は、直線状であっても湾曲状であってもよい。
また、補助部材は、全ての下部支持部材に設けるものでも、一定間隔（例えば一本おき）で設けるものであってもよい。
なお、このような補助部材を設ける場合には、軒天部材は下部支持部材に取り付けるものでも、この補助部材に取り付けるものであってもよい。
【００２０】
（Ｃ）連絡支持部材
本発明における連絡支持部材は、前記（Ａ）上部支持部材と前記（Ｂ）下部支持部材とを接続（連絡）するものであって、略鉛直状に配されるものであっても、傾斜状に配されるものであってもよい。この連絡支持部材は、単一部材であってもよいし、例えば長さ調整を可能とする複数部材を組み合わせて連絡支持部材としてもよい。また、この連絡支持部材は、前記（Ａ）上部支持部材と前記（Ｂ）下部支持部材との端部同士を連結するものに限定されず、何れか一方又は両方の長さの途中部分を連結するものであってもよい。そのため、この連絡支持部材は、複数設けてもよく、その場合、連結箇所が増加して一体化強度が向上する。
【００２１】
なお、本発明では、必ずしも必須の構成ではないが、前記説明中で触れた軒天部材について以下に簡単に説明する。
軒天部材は、前記軒先外装材の裏面と軒先裏面とのうち何れか一方又は両方を被覆する部材であり、前記軒先外装材と同様に特にその形状構成を限定するものではないが、裏面側の最も水下側の化粧材を指す。それに対し、前記軒先外装材は、表面側の最も水下側の化粧材（兼外装材）ということができる。また、前記軒先外装材と同様に前記取付補助材へ取り付けるための構成（係合受部）を有する。
一般的に広義の軒天部材とは、軒先裏面を化粧する化粧材の全てを指すものである。即ち本発明における軒天部材は、単一部材であっても、複数部材によって構成されるものでもよく、最も先端（外側）の化粧材が、軒先外装材と一体的に取り付けられていればよいものである。
【００２２】
さらに、本発明における各支持部材を連結するための締着部材は、ボルト等が一般的であるが、特にその具体的な構成を限定するものではない。一般的にこの締着部材を用いて軒先下地構造を構成する各支持部材を取り付ける場合には、外装構造の更に水下側に構築されるものであるから、雨仕舞いの懸念は必要なく、例えば係止等により取付（一体化）に比べて高い強度で一体化することができる。
【００２３】
また、前記軒先外装材は、最も水下側に位置する外装材やそれらが構築する外装構造に少なくとも一部が取付られていることが望ましく、前記軒天部材は、前記外装材が構築する外装構造の裏面側に、少なくとも一部が取付られていることが望ましい。
このように前記軒先外装材も前記軒天部材も、軒先外装材以外の外装材が構築する外装構造に少なくともその一部が取付されていることが望ましいが、この場合の取付とは、他の部材を介しての取付でもよく、それ自体は一体的である必要はなく、例えば係止や重合などをも含むものである。軒先外装材と軒天部材を直接的に取付することにより、両部材が高い強度の連結状態を得ることができる。
【００２４】
また、前記軒先外装材と前記軒天部材とは、流れ方向に交わる方向に介在して上部支持部材の水下端に取り付けられる取付補助材を介して取付していてもよいが、この態様における取付補助材は、桁行き方向に連続するプレート状であっても、部分的に介在させるものであってもよい。部分的に介在させる場合には、躯体から延出状に設けてもよい。そして、この取付補助材を用いる態様において、軒先外装材及び軒天部材を安定的に保持（意匠性をも含めて）するためには、連続する取付補助材を用いることが好ましい。
そして、この取付補助材は、軒先外装材の係合部と軒天部材の係合受部との重合部分に介在すればよく、重合部分のみに介在するものであっても、躯体側から持ち出した部材に固定されるものであってもよい。
【００２５】
また、前記軒先外装材と前記軒天部材とは、離間状に配置されると共にこの離間空間内には補強部材が配されていてもよいが、この態様における補強部材は、躯体側から延出した垂木等の外装材支持部材でもよいし、発泡系の断熱材等を充填するものであってもよい。
【実施例】
【００２６】
図１に示す本発明の建築物の軒先構造の第１実施例は、縦葺き外装材である外装材９Ａにより構成される縦葺き外装構造の水下端の更に水下側に延設され、上部支持部材１Ａと下部支持部材１Ｂとこれらの両支持部材１Ａ，１Ｂを連結する連絡支持部材１Ｃとからなる。これらの３つの支持部材１Ａ，１Ｂ，１Ｃは、図１（ｃ）に示すようにボルト等の締着部材１ｄにて一体的に連結されている。
【００２７】
この第１実施例における外装材９Ａは、流れ方向に連続する長尺材であって、下地材（野地材）６ｆ上に所定間隔にて固定された保持部材９ｂに弾性的に保持される縦葺き外装材であり、図１（ｂ）に示すように略平坦状の面板部９１の左右に上方へ突出する隆状係合部を９３を介して側縁成形部９２，９２'を有する構成であり、各成形部９２，９２'には保持部材９ｂに弾性的に係合する係合部がそれぞれ形成され、一方の側縁成形部９２に他方の側縁成形部９２'がオーバーハング状に重合すると共に係合する構成である。
この外装材９Ａを下地材６ｆに取り付けるための保持部材９ｂは、左右に起立部を有してその内側にビス９ｃを打ち込んで下地材６ｆを貫通して躯体６ｅに固定する固定部が設けられ、略中央に外装材９Ａの各成形部９２，９２'の裏面を支持する支持部分が形成された左右対称の部材であって、長さ方向に間隔を隔てて長さが異なるピース状の保持部材９ｂ'も併用している。
なお、これらの外装材９Ａや保持部材９ｂから構成される外装構造の水下端には、図中に符号９ｄで示される端部納め材が配設されている。
【００２８】
また、これらの外装材９Ａにて形成される外装構造は、鋼材等にて形成される縦母屋６ａの上端に屋根裏面側へ延在する横母屋６ｂ、及び軒先側へ延在する軒先母屋６ｃが一体的に固定され、前記横母屋６ｂ及び軒先母屋６ｃにはＬ字材６ｄを介してＣ形鋼からなる躯体６ｅが桁行き方向に延在するように固定され、該躯体６ｅ上には木毛セメント板等からなる下地材（野地材）６ｆが敷設されている。この下地材６ｆは、図１（ｂ）に示すように流れ方向に長尺な断面略ハット状の支持材６ｇ（及び溝状材６ｈ）を介して連続する下地層を形成し、最も水下側の下地材６ｆｚは水下側へ長く延在している。また、前記支持材６ｇも水下側へ長く延在している。そして、前記縦母屋６ａの外側には、鋼材類を介して外壁６ｋが取り付けられ、前記軒先母屋６ｃの裏面側に前記縦母屋６ａから略水平状に延在するように下部支持部材１Ｂが配設され、この下部支持部材１Ｂの下面に軒天部材（軒先天井材）３Ａが吊設状に配設されている。
【００２９】
前記上部支持部材１Ａは、外装構造から水下側へ延設され、その上面に前記外装材９Ａの更に水下側に配設される軒先外装材４が沿設されるものであり、外装構造を支持する支持材６ｇを水下側へ長く延出したものと一体的に接続（連結）されている。この上部支持部材１Ａの水下端には、その水下端が下方へ折曲された取付補助材１ｆが取り付けられている。
この上部支持部材１Ａと支持材６ｇとの接続は、前述のように支持材６ｇが断面略ハット状に成形しているので、例えば上部支持部材１Ａを角型パイプ材とすれば、前記支持材６ｇに上部支持部材１Ａを内包状に組み付けることができ、締着して強固に接続（連結）することができる。
また、この上部支持部材１Ａは、図１（ｃ）に示すように水上側の端部を躯体６ｉに取り付けられている。
【００３０】
前記下部支持部材１Ｂは、前述のようにその下方に軒天部材３を吊設するための部材であって、略水平状に配設されており、前記上部支持部材１Ａとは、軒先側の先端が締着部材１ｄにて連結されている。
また、この下部支持部材１Ｂは、図１（ａ）に示すように建築物側の端部を縦母屋６ａにＬ字材である補助部材６ｊを介して支持されている。
【００３１】
前記連絡支持材１Ｃは、前記上部支持部材１Ａと前記下部支持部材１Ｂとを接続（連絡）するものであって、詳しくは両支持部材１Ａ．１Ｂの長さの途中部分を締着部材１ｄ，１ｄにて連結するものであり、傾斜状に配されるように組み付けられている。この連絡支持部材１Ｃは、長さ調整可能な二部材からなり、さらに図１（ｃ）に示すように符号１ｅにて示した補助部材にて躯体６ｌに取り付けられている。
【００３２】
前記軒先外装材４は、前述のように上部支持部材１Ａの上面に沿設されるものであって、略平坦状の面板部の水上端が前記外装材９Ａの裏面側の水下端付近に固定され、前記面板部の水下部分が前記取付補助材１ｆの上面に沿い、その水下端が折り下げられ、その下端を内側へ折り返して係合部を形成している。この取付補助材１ｆは、前記上部支持部材１Ａの水下端の上面に沿設状に固定され、その水下端が折り下げられた形状である。
【００３３】
前記軒天部材３Ａは、前記下部支持部材１Ｂの裏面及び軒先裏面を被覆する略平坦状の化粧面部を有する部材であって、前記下部支持部材１Ｂの裏面側に吊設され、建築物側の端部は前記下部支持部材１Ｂの裏面にビス止めされ、軒先側の端部は前記軒先外装材４の水下端と重合すると共に係合部に係合している。
【００３４】
なお、図示していないが、前記重合部分に、上方からビス等の締着具を打ち込むことにより、これらの軒天部材３と軒先外装材４とを一体的に強固に取り付けるようにしてもよい。
また、前記軒先外装材４の水下端には取付補助材１ｆが固定されているが、この取付補助材１ｆは、前記重合部分に介在して両者の取付安定性を向上する作用を施す。
【００３５】
このような部材により構築されている本発明の建築物の軒先下地構造は、上部支持部材１Ａと下部支持部材１Ｂと連絡支持部材１Ｃとの３つの支持部材を合計３つの締着部材１ｄにて一体的に連結したものであり、３つ支持部材１Ａ，１Ｂ，１Ｃのうちの少なくとも一つが躯体に取り付けられているため、外装構造の水下側に容易に且つ強固に一体化させた構造である。特にこの第１実施例では、３つの支持材の全てが躯体（６ｉ，６ｊ，６ｌ）に取り付けられているため、極めて安定性及び強度が高い構造である。そして、この軒先下地構造の上面に固定される軒先外装材４や軒天部材３にて形成される軒先外装構造は、通常の一般屋根に比べて先端がシャープな先鋭な印象を受ける屋根であり、該軒先により所定領域の雨避けや日光避けの庇（ひさし）として有効利用する空間を形成することも可能である。
このように本発明では、取付施工が容易であって、意匠性に富んだ、デザイン性に優れた軒先構造とするための下地構造として有用である。
【００３６】
図２（ａ）に示す第２実施例の軒先下地構造では、その上面に軒先外装材４IIを支持する上部支持部材１Ａ2は、複数の横葺き外装材９IIより形成される横葺き外装構造の支持部材を兼ね、断面略ハット状の長尺材である。また、下部支持部材１Ｂ2は、前記横葺き外装構造の裏面側に略水平状に配設され、その下面に軒天部材３IIを固定する部材であって、断面略ハット状の長尺材で形成されている。さらに、連絡支持部材１Ｃ2は、それらを連結する短尺状の板状材であって、Ｃ型鋼である躯体６ｍに固定され、前記第１実施例と同様に合計３つの締着部材１ｄにて一体的に連結されている。
この第２実施例では、前述のように上部支持部材１Ａ2と下部支持部材１Ｂ2として共通する部材（断面略ハット状の長尺材）を併用することができるという利点がある。
【００３７】
この第２実施例における軒先外装材４IIと軒天部材３IIとは、図２（ｂ），（ｃ）にそれぞれ拡大して示す通りであって前記第１実施例と略同様である。
軒先外装材４IIは、略平坦状の面板部４１の水上端４２が最も水下側の外装材９IIＺの裏面側の水下端付近に固定され、前記面板部４１の水下部分が前記取付補助材１ｆ2の上面に沿い、その水下端４３が折り下げられ、その下端に折り返し係合部を形成している。
軒天部材３IIは、前記下部支持部材１Ｂ2の裏面及び軒先裏面を被覆する略平坦状の化粧面部３１，３２を有し、前記下部支持部材１Ｂ2の裏面側に吊設状に固定され、軒先側の端部３３は前記軒先外装材４IIの水下端と重合すると共に係合部に係合している。なお、この軒天部材３IIの化粧面部３１，３２は、下部支持部材１Ｂ2の裏面側に沿う部分を化粧面部３１とし、上部支持部材１Ａ2の裏面側に沿う部分を化粧面部３２とした。
【００３８】
なお、図２（ｄ）に示す取付補助材１ｆ2は、前記上部支持部材１Ａ2の水下端の上面に固定され、その水下端が折り下げられた形状であるという点では前記第１実施例と同様であるが、水上側が開放する略コ状の取付部分が形成され、安定に上部支持部材１Ａの水下端に取り付けることができる構成である。
また、図２（ａ）における９ｂiiは横葺き外装材である外装材９IIを保持する保持部材（吊子）であり、９ｃiiは外装材９IIの裏面側に添装された裏貼り材であり、９ｄiiはバックアップ材である。
【００３９】
図３は、前記第２実施例の軒先下地構造の上に異なる軒先構造を取り付けた例であり、下部支持部材１Ｂ2の裏面及び軒先裏面を被覆する軒天部材３IV以外は、前述の通りであって、図面に同一符号を付して説明を省略する。
この例における軒天部材３IVは、図３（ｂ）に拡大して示すように軒先端側に配設される第１部材３IVａと、その建築物側に連続的に複数が配設される第２部材３IVｂとからなる。
前記第１部材３IVａは、取付補助材１ｆ2等への取付形状を有する構成である。
また、前記第２部材３IVｂは、その裏面側に部分的に薄肉部分を備える断熱材３IVｃがそれぞれに配設され、一方の側端に下面側が開放する略溝状の収容部３９と、他方の側端を側方から挿入状に係合可能な係合溝３８とを有する構成であり、ボルト等の固定具３IVｄにて前記下部支持部材１Ｂ2の裏面側に、前記第１部材３IVａや複数の第２部材３IVｂや断熱材３IVｃを一体的に固定することができる。なお、前記収容部３９には前記固定具３IVｄの頭部が収容され、該頭部を含めて収容部３９の開放部分は、前記係合溝３８に他方の側端を係合したことで覆われ、裏面側から見上げても露出することがない。
【００４０】
図４（ａ）に示す第３実施例の軒先下地構造では、その上面に軒先外装材４IIを支持する上部支持部材１Ａ3は、複数の横葺き外装材９IIより形成される横葺き外装構造の支持部材を兼ねる点で前記第２実施例と同様である。また、下部支持部材１Ｂ3は、前記横葺き外装構造の裏面側に略水平状に配設される点で前記第２実施例と同様である。さらに、連絡支持部材１Ｃ3は、それらを連結する短尺状の板状材である点で前記第２実施例と同様である。
そして、前記第１実施例及び前記第２実施例と同様に合計３つの締着部材１ｄにて一体的に連結されている。なお、前記連絡支持部材１Ｃ3は、軒先躯体６ｎに一体的に固定された躯体に取り付けられている。
【００４１】
この第３実施例では、上部支持部材１Ａ3と下部支持部材１Ｂ3とが先鋭な角度を形成するように組み付けられている点で前記第２実施例とは相違するが、前述のように３つの支持部材１Ａ3，１Ｂ3，１Ｃ3も、軒先外装材４IIや横葺き外装材９II等の部材は前記第２実施例と共通する部材が多い。なお、この第３実施例にて用いた軒天部材３II'は、略平坦状（コシ折れ部がない）化粧面部３２'が形成されている以外は前記第２実施例における軒天部材３IIと同様である。
【００４２】
図４（ｂ）に示す参考例の軒先下地構造でも、用いた部材は前記第２実施例と共通する部材が多く、図面に同一符号を付して説明を省略するが、この横葺き外装構造を支持する支持部材９ｅの水下端に上部支持部材１Ａ4を一体的に連結（接続し）しており、支持部材９ｅの配設角度と上部支持部材１Ａ4の配設角度とは、異なる傾斜角度を形成している。また、下部支持部材１Ｂ4についても、略水平状ではなく前記屋根勾配とは逆方向に傾斜状に配設されている。
なお、前記上部支持部材としては、符号１Ａ4を付した部材に加え、横葺き外装構造の支持部材９ｅも併せて上部支持部材と見なすことができる。そのため、前記連絡支持部材１Ｃ4については、図面の左側に位置する部材のみならず、右側に配置されている部材も連絡支持部材とした。
【００４３】
このように参考例では、上部支持部材１Ａ4も連絡支持部材１Ｃ4も複数部材から構成されるものとしたので、それらを連結する締着部材１ｄは、合計５箇所に設けられている。したがって、連結箇所が増加して一体化強度が向上する。なお、この参考例にて用いた軒先外装材４II及び軒天部材３IIは、配設角度がそれぞれ異なるものの、前記第２実施例と全く同一の部材であるから説明を省略する。
【００４４】
図５に示す第４実施例の軒先下地構造では、その上面に軒先外装材４IIIを支持する上部支持部材１Ａ5が、複数の横葺き外装材９IIIより形成される横葺き外装構造の支持部材を兼ねる点で前記第２実施例や前記第３実施例と同様であるが、この上部支持部材１Ａ5は断面略ハット状の長尺材であって、最も水下側の外装材９IIIＺの水下側にて異なる傾斜角度（１７°から８°へ）にコシ折れしている。また、下部支持部材１Ｂ5は、前記横葺き外装構造の裏面側に略水平状に配設される点で前記第２実施例及び第３実施例と同様である。さらに、連絡支持部材１Ｃ5は、それらを連結する短尺状の板状材である点で前記第２実施例及び第３実施例と同様である。
そして、前記第１実施例及び前記第２実施例と同様に合計３つの締着部材１ｄにて一体的に連結されている。なお、前記上部支持部材１Ａ5は躯体６ｅ等に一体的に固定され、前記連絡支持部材１Ｃ5は躯体６ｏに一体的に固定されているため、これらの支持部材１Ａ5，１Ｂ5，１Ｃ5からなる軒先下地構造は、外装構造の水下側に容易に且つ強固に一体化させた構造である。
【００４５】
この第４実施例では、横葺き外装構造を構成する外装材９IIIとして前述のように横葺き外装材を用い、この外装材９IIIを保持する保持部材（吊子）９ｂiii、前記外装材９IIIの裏面側に添装された裏貼り材９ｃiiiを用いた。
また、軒先外装材４IIIとしては、面板部４１'の水上付近が異なる角度に折れ曲がった以外は前記第２実施例の軒先外装材４IIと同様である。
さらに、軒天部材３IIIとしては、軒先端側に配設される、前記第２実施例における軒天部材３IIにおける取付補助材１ｆ2等への取付部を有する第１部材３IIIａと、その建築物側に４枚が連続的に配設される第２部材３IIIｂと、更にその建築物側に３枚が連続的に配設される第３部材３IIIｃとからなる。なお、第２部材３IIIｂと第３部材３IIIｃとは、何れも中央面板部に厚肉の断熱材３IIIｄを載置する構成であって、第２部材３IIIｂの方が第３部材３IIIｃよりも僅かに面板部が長い。また、各第２部材３IIIｂ及び各第３部材３IIIｃは、図中に一点鎖線にて示す位置に前記図３に示した第２実施例における固定具３IVｄと同様の固定具を打ち込んで前記断熱材３IIIｄも含めて一体的に前記下側支持部材１Ｂ5の裏面側に固定されている。
【００４６】
図６に示す第５実施例の軒先下地構造では、その上面に軒先外装材４IVの一部を支持する上部支持部材１Ａ6は、複数の横葺き外装材９IIより形成される横葺き外装構造の支持部材を兼ねるので、屋根勾配に略平行状に水下側へ延出している。また、その下面に軒天部材３Vを支持すると共にその上面に軒先外装材４IVの一部を支持する下部支持部材１Ｂ6は、大きく反り返るように湾曲している部材であり、その先端には取付補助材１ｆ3が取り付けられている。さらに、それらを繋ぐ連絡支持部材１Ｃ6は、略鉛直状に配設されている。
そして、前述のように前記上部支持部材１Ａ6は横葺き外装構造の支持部材を兼ねているので、図示する躯体６ｐやそれ以外の躯体等に固定されている。
また、前記連絡支持部材１Ｃ6は、前記上部支持部材１Ａ6及び前記下部支持部材１Ｂ6のそれぞれの長さの中程を締着部材１ｄにて連結しており、前記上部支持部材１Ａ6と前記下部支持部材１Ｂ6とは、前記上部支持部材１Ａ6の先端と前記下部支持部材１Ｂ6の軒先付近とをと締着部材１ｄにて連結し、前記下部支持部材１Ｂ6の軒先端が突出状に配設されるように組み付けられている。
【００４７】
この第５実施例における軒先外装材４IVは、前記上部支持部材１Ａ6の上面に沿う水上部分と前記下部支持部材１Ｂ6の上面に沿う水下部分とを有し、これらの水上部分と水下部分とは浅いＶ字状の排水溝を形成するように谷折れした形状を有する第２部材４IVｂと、その軒先側に配設される第１部材４IVａと、それら４IVａ，４IVｂを連結する連結具４IVｃとからなる。
この第５実施例における軒天部材３Vは、前記図３の第２実施例に用いた軒天部材３IVを大きく反り返るように湾曲させた化粧面を形成する複数の第２部材３Vｂ、その軒先側に配設される第１部材３Vａと、それらを連絡する第３部材３Vｃとからなり、図中、３Vｄ及び３Vｅはそれらを連結する連絡具である。
【００４８】
なお、前記取付補助材１ｆ3は、水上側が開放する略コ状の取付部分が形成され、前記下部支持部材１Ｂ6の軒先端に固定され、その上面に前記軒先外装材４IVの第１部材４IVａが固定され、その下面に前記軒天部材３Vの第１部材３Vａが固定されている。
【００４９】
この第５実施例では、前述のように浅いＶ字状の排水溝が形成され、符号Ｗで示す雨水を貯留、排水することができる。
この雨水Ｗのように上方から正荷重が作用するような軒先構造であっても、堅牢で強固な軒先構造を維持できる。
【００５０】
図７に示す第６実施例の軒先下地構造では、その上面に軒先外装材４Vの一部を支持する上部支持部材１Ａ7は、複数の横葺き外装材９IIより形成される横葺き外装構造の支持部材を兼ねるので、屋根勾配に略平行状に水下側へ延出している。また、その下面に軒天部材３VIを支持する下部支持部材１Ｂ7は、略水平状に配設される部材であり、その先端には略Ｗ字状の取付補助材１ｆ4が取り付けられている。さらに、それらを繋ぐ連絡支持部材１Ｃ7，１Ｃ7'は、複数配設されている。
そして、前述のように前記上部支持部材１Ａ7は横葺き外装構造の支持部材を兼ねているので、図示する躯体６ｑやそれ以外の躯体等に固定され、前記二つの連絡支持部材１Ｃ7，１Ｃ7'も躯体６ｑに固定されている。
また、前記連絡支持部材１Ｃ7，１Ｃ7'は、前記上部支持部材１Ａ7及び前記下部支持部材１Ｂ7のそれぞれの長さの中程を締着部材１ｄにて連結しており、前記上部支持部材１Ａ7と前記下部支持部材１Ｂ7とは、前記上部支持部材１Ａ7の先端と前記下部支持部材１Ｂ7の軒先付近とをと締着部材１ｄにて連結し、前記下部支持部材１Ｂ7の軒先端が突出状に配設されるように組み付けられている。
【００５１】
この第６実施例における軒先外装材４Vは、前記上部支持部材１Ａ7の上面に沿う水上部分と前記下部支持部材１Ｂ7の上面に沿う水下部分と更に水下端を立ち上げた側面部とを有し、これらの水上部分と水下部分とで上方が開放する浅い溝状部が形成される第２部材４Vｂと、その軒先側に配設される第１部材４Vａとからなる。
この第６実施例における軒天部材３VIは、前記図３の第２実施例に用いた軒天部材３IVとほぼ同様の化粧面を形成する複数の第２部材３VIｂと、その軒先側に配設される第１部材３VIａとからなる。
【００５２】
なお、前記取付補助材１ｆ4は、前述のように略Ｗ字状に成形され、前記下部支持部材１Ｂ7の軒先端に配設され、その上面に前記軒先外装材４Vの第１部材４Vａが固定され、その下面に前記軒天部材３VＩの第１部材３VIａが配設され、それぞれ固定されている。
【００５３】
この第６実施例では、前述のように浅い溝状部が形成され、雨水を貯留、排水することができる。
この雨水のように上方から正荷重が作用するような軒先構造であっても、堅牢で強固な軒先構造を維持できる。
【符号の説明】
【００５４】
１Ａ，１Ａ2，１Ａ3，１Ａ4，１Ａ5，１Ａ6，１Ａ7  上部支持部材
１Ｂ，１Ｂ2，１Ｂ3，１Ｂ4，１Ｂ5，１Ｂ6，１Ｂ7  下部支持部材
１Ｃ，１Ｃ2，１Ｃ3，１Ｃ4，１Ｃ5，１Ｃ6，１Ｃ7  連絡支持部材
１ｄ  締着部材
１ｆ，１ｆ2，１ｆ3，１ｆ4  取付補助材
１ｅ  補助部材
３，３II，３III，３IV，３V，３VI  軒天部材
４，４II，４III，４IV，４V  軒先外装材
９，９II，９III  外装材
９IIＺ  最も水下側に位置する外装材
【図１】
2018145794.tif 000003
【図２】
2018145794.tif 000004
【図３】
2018145794.tif 000005
【図４】
2018145794.tif 000006
【図５】
2018145794.tif 000007
【図６】
2018145794.tif 000008
【図７】
2018145794.tif 000009